【手続補正書】
【提出日】平成15年7月3日(2003.7.3)
【手続補正１】
【補正対象書類名】明細書
【補正対象項目名】特許請求の範囲
【補正方法】変更
【補正の内容】
【特許請求の範囲】
【請求項１】
インクが貯留されたメインタンクに対して空気加圧ポンプにより生成される加圧空気が印加され、前記加圧空気の作用によりメインタンクからキャリッジに搭載された記録ヘッド側にインクを補給するように構成したインクジェット式記録装置であって、
前記空気加圧ポンプとメインタンクとの間の空気流路には、前記加圧空気を受けて変位するダイヤフラムと、前記ダイヤフラムの変位量に基づいて圧力検知信号を生成する信号生成手段とを備えた圧力検出器が配置され、前記ダイヤフラムは、環境温度に応じて硬度が変化する素材により構成され、且つ前記信号生成手段によって生成される圧力検知信号に基づいて、前記空気加圧ポンプの駆動を制御するように構成したインクジェット式記録装置。
【請求項２】
前記ダイヤフラムは、低温状態で硬度が高く、高温状態で硬度が低くなるように変化する素材により構成されていることを特徴とする請求項１に記載のインクジェット式記録装置。
【請求項３】
インクが貯留されたメインタンクに対して空気加圧ポンプにより生成される加圧空気が印加され、前記加圧空気の作用によりメインタンクからキャリッジに搭載された記録ヘッド側にインクを補給するように構成したインクジェット式記録装置であって、
前記空気加圧ポンプとメインタンクとの間の空気流路には、前記加圧空気を受けて変位するダイヤフラムと、前記ダイヤフラムの変位量に基づいて圧力検知信号を生成する信号生成手段とを備えた圧力検出器が配置され、前記ダイヤフラムは、環境温度に応じて体積が変化する素材により構成され、且つ前記信号生成手段によって生成される圧力検知信号に基づいて、前記空気加圧ポンプの駆動を制御するように構成したインクジェット式記録装置。
【請求項４】
前記ダイヤフラムは、低温状態で体積が収縮し、高温状態で体積が膨張するように変化する素材により構成されていることを特徴とする請求項３に記載のインクジェット式記録装置。
【請求項５】
インクが貯留されたメインタンクに対して空気加圧ポンプにより生成される加圧空気が印加され、前記加圧空気の作用によりメインタンクからキャリッジに搭載された記録ヘッド側にインクを補給するように構成したインクジェット式記録装置であって、
前記空気加圧ポンプとメインタンクとの間の空気流路には、前記加圧空気を受けて変位するダイヤフラムと、前記ダイヤフラムの変位量に基づいて圧力検知信号を生成する信号生成手段とを備えた圧力検出器が配置され、前記ダイヤフラムと信号生成手段とを機械的に結合する可動部材が、環境温度に応じてその可動方向の寸法が変化する素材により構成され、且つ前記信号生成手段によって生成される圧力検知信号に基づいて、前記空気加圧ポンプの駆動を制御するように構成したインクジェット式記録装置。
【請求項６】
前記可動部材は、その可動方向の寸法が低温状態で収縮し、高温状態で膨張するように変化する素材により構成されていることを特徴とする請求項５に記載のインクジェット式記録装置。
【請求項７】
前記信号生成手段より圧力検知信号が生成される圧力の値の温度依存特性が、前記メインタンクから記録ヘッド側に補給されるインクの粘度における温度依存特性にほぼ等しくなるように構成された請求項１乃至請求項６のいずれかに記載のインクジェット式記録装置。
【請求項８】
前記信号生成手段より圧力検知信号が生成される圧力の値の温度依存特性が、前記メインタンクから補給されるインクの補給路における圧力損失の温度依存特性にほぼ等しくなるように構成された請求項１乃至請求項６のいずれかに記載のインクジェット式記録装置。
【請求項９】
前記メインタンクからインク補給路を介してキャリッジに搭載されたサブタンクにインクを補給し、前記サブタンクよりキャリッジに搭載された前記記録ヘッドに対してインクが供給されるように構成した請求項１乃至請求項８のいずれかに記載のインクジェット式記録装置。
【請求項１０】
前記メインタンクからサブタンクに至るインク補給路が、可撓性のインク補給チューブにより構成されている請求項９に記載のインクジェット式記録装置。
【請求項１１】
前記信号生成手段は、前記ダイヤフラムの変位によって進退される可動部材と、前記可動部材の移動経路を横断するようにして配置された光源と受光素子とによるフォトセンサより構成され、前記フォトセンサを構成する受光素子の出力に基づいて前記圧力検知信号を発生するように構成した請求項１乃至請求項１０のいずれかに記載のインクジェット式記録装置。
【請求項１２】
前記信号生成手段は、前記ダイヤフラムの変位によって進退される可動部材と、前記可動部材の移動経路に光を投射する光源と前記可動部材の移動に基づく前記光源の反射光を受光する受光素子とによるフォトセンサより構成され、前記フォトセンサを構成する受光素子の出力に基づいて前記圧力検知信号を発生するように構成した請求項１乃至請求項１０のいずれかに記載のインクジェット式記録装置。
【請求項１３】
前記ダイヤフラムは弾性素材により構成され、前記ダイヤフラムが受ける空気圧と、ダイヤフラムの復帰力とのバランスによるダイヤフラムの変位に基づいて、前記可動部材が進退されるように構成された請求項１１または請求項１２に記載のインクジェット式記録装置。
【請求項１４】
前記ダイヤフラムの復帰方向に付勢するばね部材がさらに具備され、前記ダイヤフラムが受ける空気圧と、ダイヤフラムの復帰力ならびに前記ばね部材の付勢力とのバランスによるダイヤフラムの変位に基づいて、前記可動部材が進退されるように構成された請求項１３に記載のインクジェット式記録装置。
【請求項１５】
前記ダイヤフラムがゴムにより構成される請求項１乃至請求項１４のいずれかに記載のインクジェット式記録装置。
【請求項１６】
前記ダイヤフラムがゴムと布により構成される請求項１乃至請求項１４のいずれかに記載のインクジェット式記録装置。
【請求項１７】
前記ダイヤフラムのゴムが、ＮＢＲでゴム硬度が４０〜６０度である請求項１５または請求項１６に記載のインクジェット式記録装置。
【請求項１８】
前記可動部材に、前記ダイヤフラムの空気圧による過度の変位を阻止する段差部が形成された請求項１１乃至請求項１４のいずれかに記載のインクジェット式記録装置。
【請求項１９】
前記ばね部材の付勢力を受けて、前記ダイヤフラムの過度の変位を阻止するストッパー部材がさらに具備されてなる請求項１４に記載のインクジェット式記録装置。
【手続補正２】
【補正対象書類名】明細書
【補正対象項目名】００１４
【補正方法】変更
【補正の内容】
【００１４】
【課題を解決するための手段】
前記した目的を達成するためになされた本発明にかかるインクジェット式記録装置は、インクが貯留されたメインタンクに対して空気加圧ポンプにより生成される加圧空気が印加され、前記加圧空気の作用によりメインタンクからキャリッジに搭載された記録ヘッド側にインクを補給するように構成したインクジェット式記録装置であって、前記空気加圧ポンプとメインタンクとの間の空気流路には、前記加圧空気を受けて変位するダイヤフラムと、前記ダイヤフラムの変位量に基づいて圧力検知信号を生成する信号生成手段とを備えた圧力検出器が配置され、前記ダイヤフラムは、環境温度に応じて硬度が変化する素材により構成され、且つ前記信号生成手段によって生成される圧力検知信号に基づいて、前記空気加圧ポンプの駆動を制御するように構成される。この場合、好ましくは前記ダイヤフラムは、低温状態で硬度が高く、高温状態で硬度が低くなるように変化する素材により構成される。
【手続補正３】
【補正対象書類名】明細書
【補正対象項目名】００１５
【補正方法】変更
【補正の内容】
【００１５】
また、前記ダイヤフラムは環境温度に応じて体積が変化する素材により構成される場合もある。この場合においては、前記ダイヤフラムは好ましくは低温状態で体積が収縮し、高温状態で体積が膨張するように変化する素材により構成される。そして、前記信号生成手段によって生成される圧力検知信号に基づいて、前記空気加圧ポンプの駆動を制御するように構成される。さらに、前記ダイヤフラムと信号生成手段とを機械的に結合する可動部材が、環境温度に応じてその可動方向の寸法が変化する素材により構成される場合もある。この場合においては、前記可動部材は好ましくはその可動方向の寸法が低温状態で収縮し、高温状態で膨張するように変化する素材により構成される。そして、前記信号生成手段によって生成される圧力検知信号に基づいて、前記空気加圧ポンプの駆動を制御するように構成される。